(57)【特許請求の範囲】
【請求項１】
最終処分場の遮水工が施された底版及び側壁を構成する底版・側壁構造物であって、
前記底版の下側の鉄筋コンクリート部分である下側ＲＣ部分及び前記側壁の外側の鉄筋コンクリート部分である外側ＲＣ壁を一体的に構成する第１部分と、
前記底版の上側の鉄筋コンクリート部分である上側ＲＣ部分及び前記側壁の内側の鉄筋コンクリート部分である内側ＲＣ壁を一体的に構成する第２部分と、
前記底版の下側ＲＣ部分と上側ＲＣ部分との間に設けられた底版内遮水構造体と、
前記側壁の外側ＲＣ壁と内側ＲＣ壁との間に設けられた側壁内遮水構造体とを備え、
前記側壁内遮水構造体は上下方向に所定寸法毎に分割した分割部分により構成され、
上下方向に隣接する前記分割部分同士は、それぞれの端縁が溶着接合されており、
前記下側ＲＣ部分は、地盤改良が行われた地盤改良層により支持されており、
前記下側ＲＣ部分と前記地盤改良層との間には、該地盤改良層に打設されたコンクリートと、該コンクリート上で積層されたＦＲＰ防水層、遮水シート、及びこれを保護する保護マットとで構成される外側遮水構造体が設けられており、
前記下側ＲＣ部分の下側に、前記地盤改良層及び前記外側遮水構造体により凹溝が形成されており、
前記下側ＲＣ部分は、前記凹溝に嵌合する凸条を有することを特徴とする底版・側壁構造物。
【請求項２】
前記底版内遮水構造体は、複数の遮水シートと、これらを保護する自己修復型のものを含む保護マットとを積層して構成されることを特徴とする請求項１に記載の底版・側壁構造物。
【請求項３】
最終処分場の遮水工が施された底版及び側壁を構築する底版・側壁構築方法であって、
前記底版の下側の鉄筋コンクリート部分である下側ＲＣ部分及び前記側壁の外側の鉄筋コンクリート部分である外側ＲＣ壁を鉄筋コンクリートで一体的に形成する第１工程と、
前記第１工程により形成される下側ＲＣ部分の上側に底版内遮水構造体を配置する第２工程と、
前記第１工程により形成される外側ＲＣ壁の最下部の内側に、上下方向に所定の寸法毎に分割された側壁内遮水構造体の最も下の分割部分を接着する第３工程と、
前記第２工程及び前記第３工程の後、前記第２工程で配置された底版内遮水構造体の上、及び前記第３工程で接着された側壁内遮水構造体の分割部分の上端縁を除く部分に対してコンクリートを打設することにより、前記底版の上側の鉄筋コンクリート部分である上側ＲＣ部分と、前記側壁の内側の鉄筋コンクリート部分である内側ＲＣ壁の最も下の部分であって前記側壁内遮水構造体の最も下の分割部分に対応する部分とを形成する第４工程と、
前記第４工程の後、前記側壁内遮水構造体の最も下の分割部分よりも上の残りの部分及び前記内側ＲＣ壁の最も下の部分よりも上の残りの部分を形成する残部形成工程とを備え、
前記残部形成工程は、
前記側壁内遮水構造体の前回形成された下側の分割部分の上側に隣接する分割部分を前記外側ＲＣ壁に接着し、かつ該下側の分割部分の上端縁と該上側の分割部分の下端縁を溶着して該上側の分割部分を追加する分割部分追加工程と、
前記分割部分追加工程で追加した分割部分に対し、該分割部分の上端縁を残してコンクリートを打設することにより、前記内側ＲＣ壁の該追加した分割部分に対応する部分を、前回形成した該内側ＲＣ壁の部分に一体化させて形成する分割打設工程とを備え、
前記残部形成工程では、前記分割部分追加工程及び前記分割打設工程を、前記内側ＲＣ壁が、前記第１工程で形成された外側ＲＣ壁の高さに達するまで繰り返し、
前記第１工程では、前記下側ＲＣ部分の形成を、地盤改良が行われた地盤改良層とその上の外側遮水構造体とで形成された凹溝に嵌合する凸条が形成されるように行い、
前記外側遮水構造体は、前記地盤改良層の上に打設されたコンクリートと、この上に積層されたＦＲＰ防水層、遮水シート、及びこれを保護する保護マットとで構成されることを特徴とする底版・側壁構築方法。
【請求項４】
前記第２工程又は前記第３工程の後、前記第４工程の前に、前記上側ＲＣ部分及び前記内側ＲＣ壁についての配筋を行う配筋工程を備えることを特徴とする請求項３に記載の底版・側壁構築方法。
【発明の詳細な説明】
【技術分野】
【０００１】
本発明は、最終処分場の底版・側壁構造物及びこれに適した底版・側壁構築方法に関する。
【背景技術】
【０００２】
従来、このような構造物として、廃棄物貯蔵施設の外周に立設された側壁としてのコンクリート製の垂直壁と、これと一体として廃棄物貯蔵施設の底部を閉蓋する底版コンクリートとを備えた構造物が知られている（例えば、特許文献１参照）。
【０００３】
特許文献１の構造物では、垂直壁の内側面に、遮水シート及びその表面を被う保護マットを複数積層した遮水構造体が設けられる。遮水構造体の表面は、ウレタン及びその表面に吹付けた不燃性の吹付材で構成される被覆構造体で被覆される。底版コンクリートの下側には、遮水シート及びその上下を被う保護マットで構成される防水ユニットが設けられる。
【先行技術文献】
【特許文献】
【０００４】
【特許文献１】特開２０１４−２２３５５９号公報
【発明の概要】
【発明が解決しようとする課題】
【０００５】
しかしながら、上記従来技術によれば、貯蔵される廃棄物に被覆構造体が直接接触するので、貯蔵される廃棄物によっては、被覆構造体及び遮水構造体が廃棄物に含まれる水分等によって劣化したり、廃棄物によって損傷を受けたりすることも想定される。また、被覆構造体が外気に触れるので、廃棄物が充填されるまでに長期間を要する場合には、その間に、被覆構造体が劣化することも想定される。
【０００６】
本発明の目的は、かかる従来技術の課題に鑑み、遮水構造体が損傷や劣化することのない底版・側壁構造物及び底版・側壁構築方法を提供することにある。
【課題を解決するための手段】
【００１１】
第１発明は、最終処分場の遮水工が施された底版及び側壁を構成する底版・側壁構造物であって、前記底版の下側の鉄筋コンクリート部分である下側ＲＣ部分及び前記側壁の外側の鉄筋コンクリート部分である外側ＲＣ壁を一体的に構成する第１部分と、前記底版の上側の鉄筋コンクリート部分である上側ＲＣ部分及び前記側壁の内側の鉄筋コンクリート部分である内側ＲＣ壁を一体的に構成する第２部分と、前記底版の下側ＲＣ部分と上側ＲＣ部分との間に設けられた底版内遮水構造体と、前記側壁の外側ＲＣ壁と内側ＲＣ壁との間に設けられた側壁内遮水構造体とを備え、前記側壁内遮水構造体は上下方向に所定寸法毎に分割した分割部分により構成され、上下方向に隣接する前記分割部分同士は、それぞれの端縁が溶着接合されており、前記下側ＲＣ部分は、地盤改良が行われた地盤改良層により支持されており、前記下側ＲＣ部分と前記地盤改良層との間には、該地盤改良層に打設されたコンクリートと、該コンクリート上で積層されたＦＲＰ防水層、遮水シート、及びこれを保護する保護マットとで構成される外側遮水構造体が設けられており、前記下側ＲＣ部分の下側に、前記地盤改良層及び前記外側遮水構造体により凹溝が形成されており、前記下側ＲＣ部分は、前記凹溝に嵌合する凸条を有することを特徴とする。
【００１２】
第１発明によれば、側壁内遮水構造体が内側ＲＣ壁により廃棄物や外気から隔絶されるので、貯蔵される廃棄物や外気に起因して側壁内遮水構造体に損傷や劣化が生じるのを防止することができる。また、側壁内遮水構造体は、上下方向に所定寸法毎に分割した分割部分により構成されるので、内側ＲＣ壁を、後述する方法により、容易に構築することができる。
また、それぞれが鉄筋コンクリートで一体的に構成された第１部分と第２部分との間に底版内遮水構造体及び側壁内遮水構造体が設けられるので、さらに遮水効果を高度に発揮することができる。
【００１３】
第２発明は、第１発明において、前記底版内遮水構造体は、複数の遮水シートと、これらを保護する自己修復型のものを含む保護マットとを積層して構成されることを特徴とする。
【００１４】
第２発明によれば、底版内遮水構造体が自己修復型の保護マットを含むので、底版内遮水構造体のさらに高度な遮水機能を達成することができる。
【００１８】
第３発明は、最終処分場の遮水工が施された底版及び側壁を構築する底版・側壁構築方法であって、前記底版の下側の鉄筋コンクリート部分である下側ＲＣ部分及び前記側壁の外側の鉄筋コンクリート部分である外側ＲＣ壁を鉄筋コンクリートで一体的に形成する第１工程と、前記第１工程により形成される下側ＲＣ部分の上側に底版内遮水構造体を配置する第２工程と、前記第１工程により形成される外側ＲＣ壁の最下部の内側に、上下方向に所定の寸法毎に分割された側壁内遮水構造体の最も下の分割部分を接着する第３工程と、前記第２工程及び前記第３工程の後、前記第２工程で配置された底版内遮水構造体の上、及び前記第３工程で接着された側壁内遮水構造体の分割部分の上端縁を除く部分に対してコンクリートを打設することにより、前記底版の上側の鉄筋コンクリート部分である上側ＲＣ部分と、前記側壁の内側の鉄筋コンクリート部分である内側ＲＣ壁の最も下の部分であって前記側壁内遮水構造体の最も下の分割部分に対応する部分とを形成する第４工程と、前記第４工程の後、前記側壁内遮水構造体の最も下の分割部分よりも上の残りの部分及び前記内側ＲＣ壁の最も下の部分よりも上の残りの部分を形成する残部形成工程とを備え、前記残部形成工程は、前記側壁内遮水構造体の前回形成された下側の分割部分の上側に隣接する分割部分を前記外側ＲＣ壁に接着し、かつ該下側の分割部分の上端縁と該上側の分割部分の下端縁を溶着して該上側の分割部分を追加する分割部分追加工程と、前記分割部分追加工程で追加した分割部分に対し、該分割部分の上端縁を残してコンクリートを打設することにより、前記内側ＲＣ壁の該追加した分割部分に対応する部分を、前回形成した該内側ＲＣ壁の部分に一体化させて形成する分割打設工程とを備え、前記残部形成工程では、前記分割部分追加工程及び前記分割打設工程を、前記内側ＲＣ壁が、前記第１工程で形成された外側ＲＣ壁の高さに達するまで繰り返し、前記第１工程では、前記下側ＲＣ部分の形成を、地盤改良が行われた地盤改良層とその上の外側遮水構造体とで形成された凹溝に嵌合する凸条が形成されるように行い、前記外側遮水構造体は、前記地盤改良層の上に打設されたコンクリートと、この上に積層されたＦＲＰ防水層、遮水シート、及びこれを保護する保護マットとで構成されることを特徴とする。
【００１９】
第３発明によれば、側壁内遮水構造体の最も下の分割部分よりも上の残りの部分及び内側ＲＣ壁の最も下の部分よりも上の残りの部分を形成する際に、上記の分割部分追加工程及び分割打設工程を、内側ＲＣ壁が外側ＲＣ壁の高さに達するまで繰り返すようにしている。これにより、外側ＲＣ壁と内側ＲＣ壁との間に側壁内遮水構造体を有する側壁を容易に構築することができる。
また、内側ＲＣ壁の形成に際しては、側壁内遮水構造体の分割部分を外側ＲＣ壁に接着し、かつその下側の分割部分に溶着してからコンクリートの打設を行う工程が繰り返される。このため、コンクリートの打設によって側壁内遮水構造体に付与される力を、側壁内遮水構造体全体として均一化させ、側壁内遮水構造体と外側ＲＣ壁及び内側ＲＣ壁との間に水や空気が侵入するのを防止することができる。したがって、側壁内遮水構造体の表裏を半真空状態に維持し、その機能を劣化させることなく良好に維持することができる。
したがって、側壁を容易に構築しながら、上記第１発明の底版・側壁構造物を構築することができる。
【００２０】
第４発明は、第３発明において、前記第２工程又は前記第３工程の後、前記第４工程の前に、前記上側ＲＣ部分及び前記内側ＲＣ壁についての配筋を行う配筋工程を備えることを特徴とする。
【００２１】
第４発明によれば、上側ＲＣ部分及び内側ＲＣ壁についての配筋を第２工程又は第３工程の後、第４工程の前に行うので、上側ＲＣ部分上に底版内遮水構造体を容易に配置するとともに、内側ＲＣ壁を形成するコンクリートの打設を効率的に行うことができる。
【図面の簡単な説明】
【００２２】
【図１】本発明の一実施形態に係る底版・側壁構造物を示す断面図である。
【図２】図１の底版・側壁構造物を構築する工程を示すフローチャートである。
【図３】図１の底版・側壁構造物で構成されるクローズド型最終処分場において廃棄物を直接埋め立てる場合の方法を示す斜視図である。
【発明を実施するための形態】
【００２３】
以下、図面を用いて本発明の実施形態を説明する。図１に示すように、実施形態の底版・側壁構造物１は、クローズド型最終処分場における底版２と側壁３を構成するものであり、鉄筋コンクリートで形成された第１部分４と、第２部分５とを備える。側壁３は、本発明の遮水側壁構造物として構成される。
【００２４】
この底版・側壁構造物１を適用して建設される最終処分場は、重金属や有害な化学物質などの有害な廃棄物を長期貯蔵するのに適した遮断型最終処分場にも適用可能なものである。したがって、底版・側壁構造物１においては、最終処分場で埋立処分する廃棄物及びそれらに起因する物質の流出を完全に遮断できるように、厳重な対策がとられている。
【００２５】
第１部分４は、底版２の下側の鉄筋コンクリート部分である下側ＲＣ部分６及び側壁３の外側の鉄筋コンクリート部分である外側ＲＣ壁７を一体的に構成する。第２部分５は、底版２の上側の鉄筋コンクリート部分である上側ＲＣ部分８及び側壁３の内側の鉄筋コンクリート部分である内側ＲＣ壁９を一体的に構成する。
【００２６】
底版２の下側ＲＣ部分６と上側ＲＣ部分８との間には、底版内遮水構造体１０が設けられる。底版内遮水構造体１０は、複数の遮水シートと、これらを保護する自己修復型のものを含む保護マットとで構成される。
【００２７】
例えば、底版内遮水構造体１０は、下から保護マット１１、遮水シート１２、自己修復型の保護マット１３、遮水シート１４、及び保護マット１５をこの順で積層したものとして構成される。
【００２８】
側壁３の外側ＲＣ壁７と内側ＲＣ壁９との間には、側壁内遮水構造体１６が設けられる。側壁内遮水構造体１６は、上下方向に所定寸法、例えば３ｍ毎に分割した分割部分１７によって構成される。上下方向に隣接する分割部分１７同士は、それぞれの端縁を溶着しろ１８とする溶着により接合される。
【００２９】
各分割部分１７により構成される側壁内遮水構造体１６は、複数の遮水シートと、これらを保護する保護マットとで構成される。例えば、側壁内遮水構造体１６は、保護マット１９、遮水シート２０、自己修復型の保護マット２１、遮水シート２２及び保護マット２３をこの順で積層したものとして構成される。
【００３０】
側壁３の内面には、ＦＲＰ（繊維強化プラスチック）による防水層２４と、その上を被覆する不燃材によるトップコート２５が設けられる。側壁３の外面には、ＦＲＰ樹脂による防水層２６と、その上を被覆するＦＲＰ専用のトップコート２７が設けられる。
【００３１】
ＦＲＰ用の樹脂としては、最終処分場の形式、位置、用途等に応じて必要とされる作業性、機械的性能、接着性、耐食性等を考慮し、エポキシ樹脂、ポリエステル樹脂、ビニルエステル樹脂、ノンスチレン樹脂等から選択して用いることができる。トップコート２５、２７としては、これらの樹脂のＦＲＰに専用のもの、例えばウレタン系のものを用いることができる。
【００３２】
側壁３は、その上端面が、最終処分場の建屋４６を構成する側壁２８の下端面に連結されており、該建屋４６を支持する。底版２の上面全体には、ベントナイト混合砂で構成される保護砂２９が３００ｍｍ程度の厚さで敷き詰められ、浸出水に対するより高度な遮水性が確保される。また、保護砂２９の上には、粉状の砕石が混ぜられたダスト混じり砕石３０が２００ｍｍ程度の厚さで敷き詰められる。保護砂２９及び砕石粉混じり砕石３０によって底版２に付加される廃棄物の重量を平均化し、一箇所に過大な重量が付加されるのを回避している。
【００３３】
保護砂２９中の底版２の近傍には、集水用の有孔管３１が配置され、最終処分場に投入される廃棄物からの浸出水等の排出や検出に供せられる。
【００３４】
下側ＲＣ部分６の下面から、外側ＲＣ壁７のＧＬ（グランド）ラインより下の部分の側面にかけて、外側遮水構造体３２が設けられる。外側遮水構造体３２は、地盤改良層３９上に打設された捨コン、ＦＲＰ防水層、遮水シート、及びこれを保護する保護マットとで構成される。
【００３５】
具体的には、外側遮水構造体３２は、例えば、厚さ７５ｍｍに打設され、金鏝で仕上げられた捨コン３４、ＦＲＰ防水層３５、厚さ１０ｍｍの保護マット３６、厚さ１．５ｍｍの遮水シート３７及び厚さ１０ｍｍの保護マット３８をこの順で下から積層したものとして構成される。
【００３６】
下側ＲＣ部分６は、地盤改良が行われた地盤改良層（又は柱状に地盤改良された地盤部分）３９により、必要な支持力を有する地盤部分によって支持される。外側ＲＣ壁７の側面には、犬走り４０及び側溝４１が外側ＲＣ壁７と一体に設けられる。上述の側壁３外面の防水層２６とトップコート２７は、犬走り４０及び側溝４１にわたって設けられている。
【００３７】
犬走り４０とその下の砕石層３３との間から側溝４１の外側の側面にかけて、保護マットで保護された遮水シート４３が設けられる。下側ＲＣ部分６の下側の適宜の位置において、下側ＲＣ部分６の下面により閉塞された凹溝４４が、外側遮水構造体３２により形成される。凹溝４４内には、集水用の有孔管４５が単粒砕石を用いて埋設される。
【００３８】
下側ＲＣ部分６は、凹溝４４に嵌合する凸条を有してもよい。これにより、地震等により下側ＲＣ部分６が地盤改良層３９に対して横にずれるのを防止することができる。
【００３９】
有孔管４５内に万一最終処分場内からの漏水や雨水の浸入があった場合、これを、有孔管４５に接続された図示していない検査管を介して検出することにより、漏水等の検出部位と、有孔管４５の経路とを対応させ、不具合が生じている部位を特定することができる。これにより、不具合が生じている部位の迅速な補修処置等が可能となる。
【００４０】
このような漏水は、本実施形態の底版・側壁構造物１の構造上、あり得ないことである。また、雨水の浸入についても、犬走り４０や、側溝４１、防水層２６、トップコート２７、遮水シート４３等が存在するので、あり得ないことである。しかし、万一、漏水等が検出された場合でも、外側遮水構造体３２により漏水が防止され、図示していない検査管からポンプアップしてこれを処理することができる。
【００４１】
図２は、底版・側壁構造物１を構築する工程を示すフローチャートである。図２に示すように、底版・側壁構造物１は、次のようにして構築することができる。すなわち、まず、ステップＳ１において、底版２の下側の鉄筋コンクリート部分である下側ＲＣ部分６及び側壁３の外側の鉄筋コンクリート部分である外側ＲＣ壁７を鉄筋コンクリートで一体的に形成する（第１工程；外側ＲＣ壁形成工程）。なお、外側ＲＣ壁７は、分割部分１７の上下方向の寸法に対応させて、分割部分１７の設置毎に打ち継を行いながら形成してもよい。この場合、打ち継部分に遮水板を設けて、外側ＲＣ壁７における高い遮水機能を維持することができる。
【００４２】
次に、ステップＳ２において、下側ＲＣ部分６の上側に底版内遮水構造体１０を配置する（第２工程）。次に、ステップＳ３において、外側ＲＣ壁７の最下部の内側に、上下方向に所定の寸法毎に分割された側壁内遮水構造体１６の最も下の分割部分１７を接着する（第３工程；最下分割部分接着工程）。この接着には、両面テープを用いることができる。
【００４３】
このとき、該分割部分１７の上下方向の寸法には余裕を持たせてあり、該分割部分１７の下端縁は、折り返されるか、又は底版内遮水構造体１０の端縁部分の上又は下に重ねて配置される。なお、後述の分割部分１７同士の接合の場合のように、底版内遮水構造体１０及び分割部分１７を構成する各層毎に溶着し、底版内遮水構造体１０と分割部分１７とを接合するようにしてもよい。
【００４４】
次に、ステップＳ４において、上側ＲＣ部分８及び内側ＲＣ壁９についての配筋を行う（配筋工程）。この配筋は、上側ＲＣ部分８及び内側ＲＣ壁９を一体的に形成するのに適したものとされる。なお、内側ＲＣ壁９及び外側ＲＣ壁７の上端部の配筋は、後述のようにしてこれらの上端部を結合し得るように、双方の上端部に跨るように行われる。
【００４５】
次に、ステップＳ５において、底版内遮水構造体１０の上、及び外側ＲＣ壁７の最下部の内側に接着された分割部分１７の上端縁を除く内側に対してコンクリートを打設する（第４工程；内側ＲＣ壁最下部形成工程）。これにより、底版２の上側の鉄筋コンクリート部分である上側ＲＣ部分８と、側壁３の内側の鉄筋コンクリート部分である内側ＲＣ壁９の最も下の部分であって側壁内遮水構造体１６の最も下の分割部分１７に対応する部分とが形成される。
【００４６】
次に、側壁内遮水構造体１６の最も下の分割部分１７よりも上の残りの部分及び内側ＲＣ壁９の最も下の部分よりも上の残りの部分を形成する（残部形成工程）。
【００４７】
すなわち、まず、ステップＳ６において、側壁内遮水構造体１６の前回形成された下側の分割部分１７の上側に隣接する分割部分１７を外側ＲＣ壁７に接着し、かつ該下側の分割部分１７の上端縁と該上側の分割部分１７の下端縁を溶着しろ１８として溶着を行い、該上側の分割部分１７を追加する（分割部分追加工程）。
【００４８】
溶着しろ１８における溶着は、分割部分１７を構成する遮水シート、自己修復型マット、及び保護マットの各層毎に行われる。このとき、各層は、上側の分割部分１７の層が下側の分割部分１７の層の場内側（最終処分場における廃棄物が貯蔵される空間の側）に位置するように配置される。
【００４９】
次に、ステップＳ７において、該追加した分割部分１７に対し、該分割部分１７の上端縁を残してコンクリートを打設する（分割打設工程）。これにより、該内側ＲＣ壁９の該追加した分割部分１７に対応する部分が、該前回形成した内側ＲＣ壁９の部分に対して一体化して形成される。
【００５０】
そして、上記分割部分１７の追加（分割部分追加工程）と、該分割部分１７に対するコンクリートの打設（分割打設工程）とを、ステップＳ８において、内側ＲＣ壁９が、上記の第１工程（外側ＲＣ壁形成工程）で形成された外側ＲＣ壁７の高さに達したと判定されるまで繰り返す（残部形成工程）。
【００５１】
その後、ステップＳ９において、上述の双方の上端部に跨る鉄筋を設け、内側ＲＣ壁９の上端面から外側ＲＣ壁７の上端面にかけてコンクリートを打設し、双方の上端部同士を結合する。これにより、側壁３の構築が完了する。
【００５２】
このようにして構築される底版・側壁構造物１を適用したクローズド型最終処分場において、廃棄物は、コンクリート固化して埋め立てるか又は直接埋め立てることにより処分される。コンクリート固化して埋め立てる場合には、固化単位である圧密成形体に対して上面キャッピング及び側面キャッピングが施される（特許第５１８８６４６号公報「無機廃棄物固化シールド構造体および無機廃棄物固化シールド構造体の製造方法」等参照）。
【００５３】
廃棄物を直接埋め立てる場合には、図３のように、コンクリート二次製品であるコンクリート壁５６で水平方向に区切られた各区画５３内に廃棄物５２が埋め立てられ、該区画５３のコンクリート壁５６が側面キャッピングとして利用される。そして、該区画５３の廃棄物５２の上面に、厚さ１０［ｃｍ］程度の新材のコンクリートスラブを打設することにより、上面キャッピング５８が設けられる。
【００５４】
このように上面キャッピング５８及びコンクリート壁５６による側面キャッピングを設ける目的は、次の点にある。すなわち、通常、クローズド型最終処分場の根幹である屋根と壁の外郭が、万が一破損した場合、雨水等が場内に侵入するので、クローズドシステムが成り立たなくなる。この点、上記キャッピングを施しておけば、侵入した雨水は、廃棄物５２に一切接触しないので、通常の雨水排水として場外に放流することが可能となる。
【００５５】
本実施形態によれば、側壁内遮水構造体１６が内側ＲＣ壁９により廃棄物や外気から隔絶されるので、最終処分場に貯蔵される廃棄物や外気に起因して側壁内遮水構造体１６に損傷や劣化が生じるのを防止することができる。また、側壁内遮水構造体１６は、上下方向に所定寸法毎に分割した分割部分１７により構成されるので、内側ＲＣ壁９を、上述の方法により容易に構築することができる。
【００５６】
また、内側ＲＣ壁９の形成に際しては、側壁内遮水構造体１６の分割部分１７を外側ＲＣ壁に接着し、かつ下側の分割部分１７に溶着してからコンクリートの打設を行う工程が繰り返される。このため、コンクリートの打設によって側壁内遮水構造体１６に付与される力を、弛みや撓みが生じ易い側壁内遮水構造体１６の全体にわたって均一化させることができる。
【００５７】
この結果、弛みや撓みが生じ易い側壁内遮水構造体を分割せずに外側ＲＣ壁７の全体にわたって一度に配置する場合に比べて、側壁内遮水構造体１６に凹凸が生じるのを回避することができる。これにより、側壁内遮水構造体１６と外側ＲＣ壁７及び内側ＲＣ壁９との間に水や空気が侵入するのを防止しすることができる。したがって、側壁内遮水構造体１６の表裏を半真空状態に維持し、側壁内遮水構造体１６の機能を劣化させることなく良好に維持することができる。
【００５８】
また、側壁内遮水構造体１６の遮水シート２０、２２により、これを保護マット１９、２１、２３で保護しながら良好な遮水性を達成できるとともに、トップコート２５、２７により火災事故等を防止しながら、防水層２４、２６による防水効果により、側壁３による遮水機能をより高度に維持することができる。
【００５９】
また、それぞれが鉄筋コンクリートで一体的に構成された第１部分４と第２部分５との間に底版内遮水構造体１０及び側壁内遮水構造体１６が設けられるので、さらに遮水効果を高度に発揮することができる。
【００６０】
また、底版内遮水構造体１０が自己修復型の保護マット１３を含むので、底版内遮水構造体１０のさらに高度な遮水機能を達成することができる。
【００６１】
また、上記の残部形成工程では、上記の分割部分追加工程及び分割打設工程を、内側ＲＣ壁９が外側ＲＣ壁７の高さに達するまで繰り返すようにしているので、外側ＲＣ壁７と内側ＲＣ壁９との間に側壁内遮水構造体１６を有する側壁３を容易に構築することができる。
【００６２】
また、下側ＲＣ部分６及び内側ＲＣ壁９についての配筋を上記の第３工程の後、第４工程の前に行うので、下側ＲＣ部分６上に底版内遮水構造体１０を容易に配置するとともに、内側ＲＣ壁９を形成するコンクリートの打設を効率的に行うことができる。
【００６３】
また、側壁３については、ＦＲＰによる防水層２４、内側ＲＣ壁９、側壁内遮水構造体１６、外側ＲＣ壁７及びＦＲＰによる防水層２６の５段階に及ぶ遮水機能を実現することができる。また、底版２については、上側ＲＣ部分８、底版内遮水構造体１０、下側ＲＣ部分６、外側遮水構造体３２の４段階に及ぶ遮水機能を実現することができる。
【００６４】
したがって、底版・側壁構造物１を適用することにより、厳重な遮断対策が施された遮断型の処分場を効率的に建設することができる。かかる処分場は、中間貯蔵施設としても長期かつ安定して使用することができる。
【００６５】
以上、実施形態について説明したが、本発明はこれに限定されない。例えば、底版・側壁構造物１は、オープン型の最終処分場にも適用することができる。また、上述の配筋工程は、第３工程の前に行ってもよい。また、下側ＲＣ部分６と外側ＲＣ壁７又は上側ＲＣ部分８と内側ＲＣ壁９は別個に形成されてもよい。
【００６６】
また、有孔管４５により集められる漏水を検査するための検水溝を底版・側壁構造物１の周囲に設けて、有孔管４５と検水溝とを排出管で接続し、漏水が検水溝に排出されるように構成してもよい。この場合、検水溝を調べるための検査廊を検水溝に沿って設け、検水溝における漏水の有無の検査に供することができる。
【００６７】
また、上述においては言及しなかったが、第１部分４と第２部分５とは、図示していない鉄筋等により、必要な個所において相互に結合されていてもよい。
【符号の説明】
【００６８】
１…底版・側壁構造物、２…底版、３…側壁、４…第１部分、５…第２部分、６…下側ＲＣ部分、７…外側ＲＣ壁、８…上側ＲＣ部分、９…内側ＲＣ壁、１０…底版内遮水構造体、１１、１５、１９、２３…保護マット、１２、１４、２０、２２…遮水シート、１３、２１…自己修復型保護マット、１６…側壁内遮水構造体、１７…分割部分、１８…溶着しろ、２４、２６…防水層、２５、２７…トップコート、２８…側壁、２９…保護砂（ベントナイト混合砂）、３０…砕石粉混じり砕石、３１…有孔管、３２…外側遮水構造体、３３…砕石層、３４…捨コン、３５…ＦＲＰ防水層、３６…保護マット、３７…遮水シート、３８…保護マット、３９…地盤改良層、４０…犬走り、４１…側溝、４３…遮水シート、４４…凹溝、４５…有孔管、４６…建屋、５２…廃棄物、５３…区画、５６…コンクリート壁、５８…上面キャッピング。
【要約】
【課題】遮水構造体が損傷や劣化することのない遮水側壁構造物、底版・側壁構造物、遮水側壁構築方法及び底版・側壁構築方法を提供する。
【解決手段】遮水側壁構造物、底版・側壁構造物１、遮水側壁構築方法及び底版・側壁構築方法では、側壁３の外側ＲＣ壁７及び内側ＲＣ壁９と、これらの間に設けられた側壁内遮水構造体１６とが設けられ、側壁内遮水構造体１６は、上下方向に所定寸法毎に分割した分割部分１７により構成され、上下方向に隣接する分割部分１７同士は、それぞれの端縁を溶着することにより接合される。
【選択図】図１【図１】
0005918436.tif 000002
【図２】
0005918436.tif 000003
【図３】
0005918436.tif 000004